(57)【要約】【課題】施工ツールとしてのスペーサを使用することなく、床板と壁面との間に所定の隙間を確実に形成することができる幅木及び壁見切材並びにこれらの使用方法を提供する。【解決手段】壁面ＷＦに取り付けた状態で壁面ＷＦに接触する裏面側の下半部が厚み方向に切除されることによって、薄肉部１１が形成されている。まず、幅木１の表面側を壁面ＷＦ側に向けた状態で、床板ＦＰと壁面ＷＦとの間に薄肉部１１を挟み込みながら、床板ＦＰを床下地ＦＢに敷設すると、床板ＦＰと壁面ＷＦとの間に薄肉部１１の厚み分の隙間が確実に形成される。全ての床板ＦＰを敷設し終わると、床板ＦＰと壁面ＷＦとの間に挟み込まれた幅木１を全て取り外して、下端部が床板ＦＰの上面に接するように、壁面ＷＦに取り付けると、床板ＦＰと壁面ＷＦとの間に形成された隙間Ｓ及び床板ＦＰの端縁が幅木１によって確実に覆い隠されることになる。【選択図】        図２
2004257162.tif 000002
【特許請求の範囲】
【請求項１】
壁面に接触する裏面側の下部が、全長にわたって、厚み方向に切除されることによって形成された薄肉部を有していることを特徴とする幅木。
【請求項２】
前記薄肉部の高さが、床板の厚みより大きく設定されている請求項１に記載の幅木。
【請求項３】
請求項１または２に記載の幅木の使用方法であって、
床板を敷設する際、前記幅木の表面側を壁面に接触させた状態で、その薄肉部に床板を当接させることによって、床板と壁面との間に所定の隙間を形成するようにしたことを特徴とする幅木の使用方法。
【請求項４】
敷設された床板と壁面との間に形成された隙間に、幅方向の一端側が壁面に当接した状態で収容固定される基部と、
前記基部の幅方向の他端側から、その幅方向に張り出して、敷設された床板の端部を覆う張出部とを備えた壁見切材において、
前記基部の高さが、前記基部の幅よりも大きく、かつ、前記基部の幅と前記張出部の張出長さとの和より小さく設定されていることを特徴とする壁見切材。
【請求項５】
請求項４に記載の壁見切材の使用方法であって、
床板を敷設する際、前記壁見切材の上面側を壁面に接触させた状態で、その基部の底面に床板を当接させることによって、床板と壁面との間に所定の隙間を形成するようにしたことを特徴とする壁見切材の使用方法。
【発明の詳細な説明】
【０００１】
【発明の属する技術分野】
この発明は、床面と壁面との継ぎ目を覆い隠すための幅木及び壁見切材並びにこれらの使用方法、特に、床板を敷設する際に、床板と壁面との間に所定の隙間を形成することができる幅木及び壁見切材並びにこれらの使用方法に関する。
【０００２】
【従来の技術】
床下地に敷設された床板の端部と壁面との境界部分を覆い隠すために、図７に示すように、下端部が床板ＦＰの上面に接するように、壁面ＷＦに長尺帯状の幅木５０を取り付けたり、図８に示すように、床板ＦＰの端部と壁面ＷＦとの間に所定幅の隙間を形成しておき、その隙間に、床板ＦＰの端部を覆う張出部６２が基部６１に連設された壁見切材６０を収容して床下地ＦＢに固定したりするといった手法が採用されている。
【０００３】
ところで、木質材によって形成された床板ＦＰは吸放湿によって伸縮するという性質を備えているので、こういった床板ＦＰを敷設する際は、床板ＦＰが伸張することを考慮して、幅木５０を使用する場合は、壁面ＷＦとの間に所定幅の隙間Ｓ１が形成されるように、また、壁見切材６０を使用する場合は、壁見切材６０の基部６１との間に所定幅の隙間Ｓ２が確保されるように、床下地ＦＢに床板ＦＰを敷設することになる（図７及び図８参照）。
【０００４】
このように、壁面ＷＦとの間に所定幅の隙間が形成されるように、床板ＦＰを敷設するには、図９に示すように、壁面ＷＦとの間にスペーサＳＰを部分的に挟み込むことによって、貼り始めの床板ＦＰを位置決めするといった方法が一般的に採用されている。
【０００５】
【特許文献１】
特開平１０−２９９２４３号公報
【０００６】
【発明が解決しようとする課題】
しかしながら、上述したような方法によって床板を敷設する場合は、床板の敷設完了後に不要となるスペーサを施工ツールとして必ず準備しておかなければならず、施工コストが高くなるといった問題がある。
【０００７】
また、床板ＦＰの敷設面積が大きくなると、数多くのスペーサＳＰが必要になるので、従来は、少数のスペーサＳＰを効率的に活用するため、既に敷設された床板ＦＰと壁面ＷＦとの間に挟み込まれているスペーサＳＰを抜き取って、その後に敷設しようとする床板ＦＰの位置決めに使用するといった具合に、スペーサＳＰを使い回すことが多いが、床板を床下地に固定しないフローティングフロアの場合、全ての床板ＦＰの敷設が完了する前に、スペーサＳＰを抜き取ってしまうと、スペーサＳＰが抜き取られた部分の床板ＦＰが位置ずれしやすくなり、壁面ＷＦと床板ＦＰとの間に形成された隙間の幅が変動してしまうといったおそれがある。
【０００８】
そこで、この発明の課題は、施工ツールとしてのスペーサを使用することなく、床板と壁面との間に所定の隙間を確実に形成することができる幅木及び壁見切材並びにこれらの使用方法を提供することにある。
【０００９】
【課題を解決するための手段及びその効果】
上記の課題を解決するため、請求項１にかかる発明は、壁面に接触する裏面側の下部が、全長にわたって、厚み方向に切除されることによって形成された薄肉部を有していることを特徴とする幅木を提供するものである。
【００１０】
以上のように構成された幅木は、請求項３にかかる発明の使用方法のように、床板を敷設する際、前記幅木の表面側を壁面に接触させた状態で、その薄肉部に床板を当接させることによって、施工ツールとしてのスペーサを使用することなく、床板と壁面との間に所定幅の隙間を確実に形成することができる。
【００１１】
特に、請求項２にかかる発明の幅木のように、前記薄肉部の高さを、床板の厚みより大きく設定しておくと、床板と壁面との間に挟み込んだ幅木を床板の敷設後に取り外す際、薄肉部に指をかけることができるので、幅木を取り外しやすくなるという効果が得られる。
【００１２】
また、上記の課題を解決するため、請求項４にかかる発明は、敷設された床板と壁面との間に形成された隙間に、幅方向の一端側が壁面に当接した状態で収容固定される基部と、前記基部の幅方向の他端側から、その幅方向に張り出して、敷設された床板の端部を覆う張出部とを備えた壁見切材において、前記基部の高さが、前記基部の幅よりも大きく、かつ、前記基部の幅と前記張出部の張出長さとの和より小さく設定されていることを特徴とする壁見切材を提供するものである。
【００１３】
以上のように、この壁見切材は、基部の高さが、基部の幅よりも大きく、かつ、基部の幅と張出部の張出長さとの和より小さく設定されているので、請求項５にかかる発明の使用方法のように、床板を敷設する際、前記壁見切材の上面側を壁面に接触させた状態で、その基部の底面に床板を当接させることによって、施工ツールとしてのスペーサを使用することなく、この壁見切材を取り付けたときにその基部と床板の間に隙間が確保されるように、床板と壁面との間に所定幅の隙間を確実に形成することができる。
【００１４】
【発明の実施の形態】
以下、実施の形態について図面を参照して説明する。図１（ａ）、（ｂ）に示すように、この幅木１は、壁面に取り付けた状態で壁面に接触する裏面側の下半部が厚み方向に切除されることによって、薄肉部１１が形成されており、この薄肉部１１の高さＨは、床板の厚みの３倍程度に設定されている。
【００１５】
以上のように構成された幅木１は、床板と壁面との継ぎ目を覆い隠すといった本来の用途に使用されるだけでなく、床板を床下地に敷設する際に、壁面と床板との間に所定幅の隙間を形成するためのスペーサとして使用することができるようになっている。
【００１６】
即ち、図２（ａ）に示すように、幅木１の表面側を壁面ＷＦ側に向けた状態で、その薄肉部１１の裏面側に床板ＦＰを当接させることによって、床板ＦＰと壁面ＷＦとの間に薄肉部１１を挟み込みながら、床板ＦＰを床下地ＦＢに敷設すると、床板ＦＰと壁面ＷＦとの間に薄肉部１１の厚み分の隙間が確実に形成される。
【００１７】
このようにして、全ての床板ＦＰを敷設し終わると、床板ＦＰと壁面ＷＦとの間に挟み込まれた幅木１を全て取り外して、同図（ｂ）に示すように、下端部が床板ＦＰの上面に接するように、壁面ＷＦに取り付けると、床板ＦＰと壁面ＷＦとの間に形成された隙間Ｓ及び床板ＦＰの端縁が幅木１によって確実に覆い隠されることになる。
【００１８】
以上のように、この幅木１は、本来の用途に使用されるだけでなく、床板ＦＰを床下地ＦＢに敷設する際に、壁面ＷＦと床板ＦＰとの間に所定幅の隙間Ｓを形成するためのスペーサとして使用することができるので、従来のように、床板を敷設する際、施工ツールとしてのスペーサを別途用意する必要がなく、施工コストの削減を図ることができる。
【００１９】
また、従来から使用されている施工ツールとしてのスペーサは、床板ＦＰの端縁に部分的に当接させることによって床板ＦＰの位置決めを行っているため、スペーサを適切な位置に配置しないと、床板ＦＰに位置ずれが生じやすくなるが、長尺帯状の板材によって形成されている幅木１は、敷設しようとする床板ＦＰの端縁に、その全長にわたって、当接させることができるので、床板ＦＰに対する位置決めを確実に行うことができるという効果も得られる。
【００２０】
また、幅木は床面と壁面との継ぎ目を覆い隠すものであるため、壁面の全周に相当する長さ分が予め用意されている。従って、従来から使用されているスペーサのように使い回す必要がなく、敷設された床板ＦＰと壁面ＷＦとの間に一旦挟み込まれた幅木１は、全ての床板ＦＰを敷設し終わるまで取り外す必要がないので、床板を床下地に固定しないフローティングフロアの場合であっても、一旦敷設された床板が位置ずれを起こすことがない。
【００２１】
また、この幅木１では、薄肉部１１の高さが、床板ＦＰの厚みより大きく設定されているので、図２（ａ）に示すように、床板ＦＰと壁面ＷＦとの間に挟み込まれた幅木１を取り外す際、薄肉部１１に指をかけることによって、幅木１を簡単に取り外すことができる。
【００２２】
図３及び図４は、この発明に係る壁見切材２を示している。図３（ａ）、（ｂ）に示すように、この壁見切材２は、一端側が壁面に接するように、壁面と床板との間に形成された所定幅の隙間に収容固定される基部２１と、この基部２１の幅方向の他端側から、その幅方向の外側に張り出して、敷設された床板の端部を覆う張出部２２とから構成されており、基部２１の高さｈが、基部２１の幅ｗよりも大きく、かつ、基部２１の幅ｗと張出部２２の張出長さｌとの和Ｌより小さく設定されている。
【００２３】
以上のように構成された壁見切材２も、上述した幅木１と同様に、床板と壁面との継ぎ目を覆い隠すといった本来の用途に使用されるだけでなく、壁見切材２の基部２１との間に所定幅の隙間が確保されるように、床板を床下地に敷設する際に、壁面と床板との間に所定幅の隙間を形成するためのスペーサとして使用することができるようになっている。
【００２４】
即ち、図４（ａ）に示すように、壁見切材２の上面側を壁面側に向けた状態で、その基部２１の底面に床板ＦＰを当接させることによって、床板ＦＰと壁面ＷＦとの間に基部２１を挟み込みながら、床板ＦＰを床下地ＦＢに敷設すると、床板ＦＰと壁面ＷＦとの間に基部２１の高さｈ分の隙間が確実に形成される。
【００２５】
このようにして、全ての床板ＦＰを敷設し終わると、床板ＦＰと壁面ＷＦとの間に挟み込まれた壁見切材２を全て取り外して、同図（ｂ）に示すように、基部２１の幅方向の一端側が壁面ＷＦに当接するように、床板ＦＰと壁面ＷＦとの間に形成された隙間に基部２１を収容し、基部２１を床下地ＦＢに固定すると、基部２１と床板ＦＰとの間に所定幅の隙間Ｓが形成された状態で、床板ＦＰの端縁が壁見切材２の張出部２２によって確実に覆い隠されることになる。
【００２６】
以上のように、この壁見切材２は、本来の用途に使用されるだけでなく、床板ＦＰを床下地ＦＢに敷設する際に、壁面ＷＦと床板ＦＰとの間に所定幅の隙間を形成するためのスペーサとして使用することができるので、従来のように、床板を敷設する際、施工ツールとしてのスペーサを別途用意する必要がなく、上述した幅木１と同様の効果を得ることができる。
【００２７】
なお、上述した実施形態の幅木１では、薄肉部１１が一定の厚みを有しているが、これに限定されるものではなく、例えば、図５（ａ）に示すように、裏面側が湾曲面になるように薄肉部１１ａを形成したり、同図（ｂ）に示すように、裏面側が傾斜面になるように薄肉部１１ｂを形成したり、同図（ｃ）に示すように、裏面側が階段状になるように薄肉部１１ｃを形成したりすることによって、高さ方向に薄肉部１１ａ、１１ｂ、１１ｃの厚みを変化させるようにしてもよい。
【００２８】
また、上述した実施形態の幅木１では、薄肉部１１の高さが、床板ＦＰの厚みより大きく設定されているが、これに限定されるものではなく、例えば、図６に示す幅木１Ａのように、薄肉部１１Ａの高さを、床板ＦＰの厚みより小さく設定した場合であっても、幅木１と同様に、スペーサとして使用することができることはいうまでもない。
【図面の簡単な説明】
【図１】（ａ）はこの発明にかかる幅木の一実施形態を示す正面図、（ｂ）は（ａ）のＸ−Ｘ線に沿った断面図である。
【図２】（ａ）は同上の幅木を使用した床板の敷設方法を説明するための説明図、（ｂ）は同上の幅木を壁面に取り付けた状態を示す断面図である。
【図３】（ａ）はこの発明にかかる壁見切材の一実施形態を示す正面図、（ｂ）は（ａ）のＹ−Ｙ線に沿った断面図である。
【図４】（ａ）は同上の壁見切材を使用した床板の敷設方法を説明するための説明図、（ｂ）は同上の壁見切材を取り付けた状態を示す断面図である。
【図５】（ａ）〜（ｃ）は他の実施形態である幅木を示す断面図である。
【図６】他の実施形態である幅木を示す断面図である。
【図７】従来の幅木を壁面に取り付けた状態を示す断面図である。
【図８】従来の壁見切材を床下地に取り付けた状態を示す断面図である。
【図９】従来から採用されている床板の敷設方法を示す斜視図である。
【符号の説明】
１、１Ａ  幅木
２  壁見切材
１１、１１Ａ、１１ａ、１１ｂ、１１ｃ  薄肉部
２１  基部
２２  張出部
【図１】
2004257162.tif 000003
【図２】
2004257162.tif 000004
【図３】
2004257162.tif 000005
【図４】
2004257162.tif 000006
【図５】
2004257162.tif 000007
【図６】
2004257162.tif 000008
【図７】
2004257162.tif 000009
【図８】
2004257162.tif 000010
【図９】
2004257162.tif 000011